(57)【要約】【課題】プレゼンテーションの実施者がプレゼンテーションの表示画像における表示状態の変更を容易に行うことができる画像表示システムの提供。【解決手段】プロジェクションシステムは、ノートＰＣ２と、プロジェクタと、これらを接続する画像ケーブル４とを備える。ノートＰＣ２は、ノートＰＣ２の表示画像における輝度を調整するためのＰＣ側輝度情報が入力されると、これに基づいて輝度を調整させる表示調整部２７と、このＰＣ側輝度情報に基づいて、プロジェクタの表示画像における輝度を、表示調整部２７にて調整される輝度に対応させて調整するためのプロジェクタ側輝度情報を生成し、画像ケーブル４を介して送信させる送信制御部２８とを備える。プロジェクタは、プロジェクタ側輝度情報を受信すると、これに基づいてプロジェクタの表示画像における輝度を調整させる表示装置側表示調整部を備える。【選択図】図２
2010186183.tif 000002
【特許請求の範囲】
【請求項１】
画像情報を出力する画像出力装置と、前記画像情報に基づく画像を表示する画像表示装置と、前記画像出力装置および前記画像表示装置を情報の伝送可能に接続する伝送手段とを備える画像表示システムであって、
前記画像出力装置は、
前記画像情報に基づく画像を表示する出力装置側表示手段と、
前記出力装置側表示手段を制御する出力装置側制御手段と、
前記出力装置側表示手段により表示される画像の表示状態を調整するための出力装置側調整情報を入力可能とし、当該出力装置側調整情報を前記出力装置側制御手段に出力する操作手段とを備え、
前記出力装置側制御手段は、
前記出力装置側調整情報に基づいて前記出力装置側表示手段により表示される画像の表示状態を調整させる出力装置側表示調整部と、
前記出力装置側調整情報に基づいて、前記画像表示装置により表示される画像の表示状態を、前記出力装置側表示調整部にて調整される表示状態に対応させて調整するための表示装置側調整情報を生成し、当該表示装置側調整情報を前記伝送手段にて送信させる送信制御部とを備え、
前記画像表示装置は、
前記画像情報に基づく画像を表示する表示装置側表示手段と、
前記表示装置側表示手段を制御する表示装置側制御手段とを備え、
前記表示装置側制御手段は、
前記表示装置側調整情報が受信されると、当該表示装置側調整情報に基づいて前記表示装置側表示手段により表示される画像の表示状態を調整させる表示装置側表示調整部を備えることを特徴とする画像表示システム。
【請求項２】
請求項１に記載の画像表示システムにおいて、
前記送信制御部は、輝度を調整するための前記出力装置側調整情報に基づいて、前記表示装置側調整情報を生成し、当該表示装置側調整情報を前記伝送手段にて送信させることを特徴とする画像表示システム。
【請求項３】
請求項１または請求項２に記載の画像表示システムにおいて、
前記画像表示装置は、光源装置と、前記光源装置から射出される光を画像情報に応じて変調して光学像を形成する光変調装置と、形成された光学像を拡大投射する投射光学装置とを備えるプロジェクタであることを特徴とする画像表示システム。
【請求項４】
画像情報を出力する画像出力装置と、前記画像情報に基づく画像を表示する画像表示装置と、前記画像出力装置および前記画像表示装置を情報の伝送可能に接続する伝送手段とを備える画像表示システムに用いられる画像出力装置であって、
前記画像情報に基づく画像を表示する出力装置側表示手段と、
前記出力装置側表示手段を制御する出力装置側制御手段と、
前記出力装置側表示手段により表示される画像の表示状態を調整するための出力装置側調整情報を入力可能とし、当該出力装置側調整情報を前記出力装置側制御手段に出力する操作手段とを備え、
前記出力装置側制御手段は、
前記出力装置側調整情報に基づいて前記出力装置側表示手段により表示される画像の表示状態を調整させる出力装置側表示調整部と、
前記出力装置側調整情報に基づいて、前記画像表示装置により表示される画像の表示状態を、前記出力装置側表示調整部にて調整される表示状態に対応させて調整するための表示装置側調整情報を生成し、当該表示装置側調整情報を前記伝送手段にて送信させる送信制御部とを備えることを特徴とする画像出力装置。
【請求項５】
画像情報に基づく画像を表示するとともに、当該画像情報を出力する画像出力装置と、前記画像情報に基づく画像を表示する画像表示装置と、前記画像出力装置および前記画像表示装置を情報の伝送可能に接続する伝送手段とを備える画像表示システムを利用した画像表示方法であって、
前記画像出力装置が、
当該画像出力装置により表示される画像の表示状態を調整するための出力装置側調整情報が入力されると、当該出力装置側調整情報に基づいて当該画像出力装置により表示される画像の表示状態を調整する出力装置側表示調整ステップと、
前記出力装置側調整情報に基づいて、前記画像表示装置により表示される画像の表示状態を、前記出力装置側表示調整ステップにて調整された表示状態に対応させて調整するための表示装置側調整情報を生成し、当該表示装置側調整情報を前記伝送手段にて送信する送信制御ステップとを実行し、
前記画像表示装置が、
前記表示装置側調整情報が受信されると、当該表示装置側調整情報に基づいて当該画像表示装置により表示される画像の表示状態を調整する表示装置側表示調整ステップを実行することを特徴とする画像表示方法。
【発明の詳細な説明】
【技術分野】
【０００１】
本発明は、画像表示システム、画像出力装置、および画像表示方法に関する。
【背景技術】
【０００２】
従来、光源から射出された光を画像情報に応じて変調して光学像を形成し、当該光学像をスクリーン等に拡大投射して画像を表示するプロジェクタが知られている。このようなプロジェクタは、会議、学会、および展示会等におけるプレゼンテーション等の様々な環境および用途で用いられるため、スクリーン等に表示される画像における輝度、コントラスト、色合い、および画像サイズ等の表示状態の調整を行うことができる（例えば、特許文献１）。
特許文献１に記載のプロジェクタでは、プロジェクタの使用者が、リモートコントローラ、またはプロジェクタの本体に設けられた操作ボタンを操作することにより、スクリーン等に表示される画像における輝度等のパラメータを入力する。そして、このパラメータに基づいて画像情報に対して画質調整処理を実施して表示状態の調整を行うことができる。
【先行技術文献】
【特許文献】
【０００３】
【特許文献１】特開２００５−１９２１８８号公報
【発明の概要】
【発明が解決しようとする課題】
【０００４】
ところで、プロジェクタを用いてプレゼンテーションを行う場合には、プロジェクタに、例えばノートＰＣ（Personal Computer）などの画像情報を出力する画像出力装置を接続してプレゼンテーションを行っている。
ここで、特許文献１に記載のプロジェクタでは、プレゼンテーションの実施者が、プレゼンテーションを行っている最中に、プレゼンテーションの表示画像における表示状態の調整をしようとする場合には、リモートコントローラ、またはプロジェクタの本体に設けられた操作ボタンを操作する必要がある。
【０００５】
しかしながら、プレゼンテーションの実施者は、ノートＰＣや、スクリーン等の近くでプレゼンテーションを行っているため、プロジェクタの本体に設けられた操作ボタンを操作することが困難である。また、リモートコントローラもプレゼンテーションの実施者の手元にない場合がある。このため、プレゼンテーションの実施者は、プレゼンテーションの表示画像における表示状態の調整を容易に行うことができないという問題がある。
【０００６】
本発明の目的は、プレゼンテーションの実施者がプレゼンテーションの表示画像における表示状態の調整を容易に行うことができる画像表示システム、画像出力装置、および画像表示方法を提供することにある。
【課題を解決するための手段】
【０００７】
本発明の画像表示システムは、画像情報を出力する画像出力装置と、前記画像情報に基づく画像を表示する画像表示装置と、前記画像出力装置および前記画像表示装置を情報の伝送可能に接続する伝送手段とを備える画像表示システムであって、前記画像出力装置は、前記画像情報に基づく画像を表示する出力装置側表示手段と、前記出力装置側表示手段を制御する出力装置側制御手段と、前記出力装置側表示手段により表示される画像の表示状態を調整するための出力装置側調整情報を入力可能とし、当該出力装置側調整情報を前記出力装置側制御手段に出力する操作手段とを備え、前記出力装置側制御手段は、前記出力装置側調整情報に基づいて前記出力装置側表示手段により表示される画像の表示状態を調整させる出力装置側表示調整部と、前記出力装置側調整情報に基づいて、前記画像表示装置により表示される画像の表示状態を、前記出力装置側表示調整部にて調整される表示状態に対応させて調整するための表示装置側調整情報を生成し、当該表示装置側調整情報を前記伝送手段にて送信させる送信制御部とを備え、前記画像表示装置は、前記画像情報に基づく画像を表示する表示装置側表示手段と、前記表示装置側表示手段を制御する表示装置側制御手段とを備え、前記表示装置側制御手段は、前記表示装置側調整情報が受信されると、当該表示装置側調整情報に基づいて前記表示装置側表示手段により表示される画像の表示状態を調整させる表示装置側表示調整部を備えることを特徴とする。
【０００８】
このような構成によれば、画像出力装置の使用者が、操作手段を操作することにより、出力装置側表示手段により表示される画像の表示状態を調整するための出力装置側調整情報を入力すると、送信制御部は、この出力装置側調整情報に基づいて、表示装置側表示手段により表示される画像の表示状態を、出力装置側表示調整部にて調整される表示状態に対応させて調整するための表示装置側調整情報を生成し、この表示装置側調整情報を伝送手段にて送信させる。そして、表示装置側表示調整部は、この表示装置側調整情報に基づいて表示装置側表示手段により表示される画像の表示状態を調整させる。
したがって、画像出力装置の使用者は、操作手段を操作して出力装置側表示手段により表示される画像の表示状態を調整することにより、表示装置側表示手段により表示される画像の表示状態を連動して調整することができる。
【０００９】
すなわち、本発明において、例えば、画像出力装置としてノートＰＣを採用し、画像表示装置としてプロジェクタを採用したプロジェクションシステムを構成すれば、プレゼンテーションの実施者が、ノートＰＣや、スクリーン等の近くでプレゼンテーションを行っている場合であっても、プロジェクタの本体に設けられた操作ボタンや、リモートコントローラを操作することなく、プレゼンテーションを行っている最中に、プレゼンテーションの表示画像における表示状態の調整を容易に行うことができる。さらに、プレゼンテーションの実施者は、ノートＰＣの表示画像における表示状態の調整を行えばよいので、新たな操作を覚える必要がなくプロジェクションシステムを利用しやすい。
【００１０】
本発明では、前記送信制御部は、輝度を調整するための前記出力装置側調整情報に基づいて、前記表示装置側調整情報を生成し、当該表示装置側調整情報を前記伝送手段にて送信させることが好ましい。
プレゼンテーションは、暗い環境で実施されることが多いため、プレゼンテーションの実施者は、プレゼンテーションを行っている最中に画像表示装置の表示画像の輝度を調整する場合が多い。したがって、このような構成によれば、本発明の画像表示システムを特に好適に利用することができる。
【００１１】
本発明では、前記画像表示装置は、光源装置と、前記光源装置から射出される光を画像情報に応じて変調して光学像を形成する光変調装置と、形成された光学像を拡大投射する投射光学装置とを備えるプロジェクタであることが好ましい。
【００１２】
このような構成によれば、前述した画像表示システムの作用および効果と同様の作用および効果を享受することができる。
また、プロジェクタは、会議、学会、および展示会等におけるプレゼンテーションに利用される場合が多いので、本発明を好適に利用することができる。
【００１３】
本発明の画像出力装置は、画像情報を出力する画像出力装置と、前記画像情報に基づく画像を表示する画像表示装置と、前記画像出力装置および前記画像表示装置を情報の伝送可能に接続する伝送手段とを備える画像表示システムに用いられる画像出力装置であって、前記画像情報に基づく画像を表示する出力装置側表示手段と、前記出力装置側表示手段を制御する出力装置側制御手段と、前記出力装置側表示手段により表示される画像の表示状態を調整するための出力装置側調整情報を入力可能とし、当該出力装置側調整情報を前記出力装置側制御手段に出力する操作手段とを備え、前記出力装置側制御手段は、前記出力装置側調整情報に基づいて前記出力装置側表示手段により表示される画像の表示状態を調整させる出力装置側表示調整部と、前記出力装置側調整情報に基づいて、前記画像表示装置により表示される画像の表示状態を、前記出力装置側表示調整部にて調整される表示状態に対応させて調整するための表示装置側調整情報を生成し、当該表示装置側調整情報を前記伝送手段にて送信させる送信制御部とを備えることを特徴とする。
【００１４】
このような構成によれば、前述した画像表示システムに好適な画像出力装置として利用することができる。
【００１５】
本発明の画像表示方法は、画像情報に基づく画像を表示するとともに、当該画像情報を出力する画像出力装置と、前記画像情報に基づく画像を表示する画像表示装置と、前記画像出力装置および前記画像表示装置を情報の伝送可能に接続する伝送手段とを備える画像表示システムを利用した画像表示方法であって、前記画像出力装置が、当該画像出力装置により表示される画像の表示状態を調整するための出力装置側調整情報が入力されると、当該出力装置側調整情報に基づいて当該画像出力装置により表示される画像の表示状態を調整する出力装置側表示調整ステップと、前記出力装置側調整情報に基づいて、前記画像表示装置により表示される画像の表示状態を、前記出力装置側表示調整ステップにて調整された表示状態に対応させて調整するための表示装置側調整情報を生成し、当該表示装置側調整情報を前記伝送手段にて送信する送信制御ステップとを実行し、前記画像表示装置が、前記表示装置側調整情報が受信されると、当該表示装置側調整情報に基づいて当該画像表示装置により表示される画像の表示状態を調整する表示装置側表示調整ステップを実行することを特徴とする。
【００１６】
このような構成によれば、前述した画像表示システムの作用および効果と同様の作用および効果を享受することができる。
【図面の簡単な説明】
【００１７】
【図１】本発明の一実施形態に係るプロジェクションシステムの外観図。
【図２】前記実施形態におけるノートＰＣの概略構成を示すブロック図。
【図３】前記実施形態におけるプロジェクタの概略構成を示すブロック図。
【図４】前記実施形態におけるプロジェクションシステムの動作を示すフローチャート。
【発明を実施するための形態】
【００１８】
以下、本発明の一実施形態を図面に基づいて説明する。
〔プロジェクションシステムの概略構成〕
図１は、画像表示システムとしてのプロジェクションシステム１の外観図である。
プロジェクションシステム１は、図１に示すように、画像データ信号（画像情報）を出力するノートＰＣ２と、ノートＰＣ２から出力される画像データ信号に基づく光学像を生成し、スクリーンＳｃに向けて投射するプロジェクタ３と、ノートＰＣ２およびプロジェクタ３を接続し、ノートＰＣ２から出力される画像データ信号を、プロジェクタ３に伝送する画像ケーブル４とを備える。
なお、プロジェクタ３から光学像が投射されることにより、スクリーンＳｃには、画像データに基づく画像が表示される（以下、プロジェクタ３の表示画像とする）。
【００１９】
画像ケーブル４は、画像データ信号を伝送するために接続されるケーブルであり、アナログＲＧＢ（Red Green Blue）ケーブルで構成されている。また、画像データ信号は、アナログＲＧＢ信号にて伝送されている。なお、画像ケーブル４は、アナログＲＧＢケーブルに限らず、例えば、コンポジットケーブルやデジタルＲＧＢケーブル等で構成してもよく、伝送される画像データ信号に応じて選択すればよい。
【００２０】
〔ノートＰＣの構成〕
図２は、ノートＰＣ２の概略構成を示すブロック図である。
画像出力装置としてのノートＰＣ２は、図２に示すように、表示手段２１と、操作手段２２と、制御手段２３とで大略構成されている。
出力装置側表示手段としての表示手段２１は、液晶パネル２１１と、バックライト２１２とを備える。
液晶パネル２１１は、透過型の液晶パネルであり、液晶セル（図示略）に封入された液晶分子の配列を変化させ、バックライト２１２から射出された光を、透過若しくは遮断することにより、制御手段２３から出力される画像データに基づく画像を表示する。なお、バックライト２１２は、制御手段２３からの制御信号に基づいて、射出する光の輝度を調整可能に構成されている。
【００２１】
操作手段２２は、例えば、キーボードやマウス等であり、ノートＰＣ２の使用者から操作される各種操作ボタンを有している。また、操作手段２２は、操作ボタンが操作されることにより、表示手段２１により表示される画像（以下、ノートＰＣ２の表示画像とする。）における輝度を調整するためのＰＣ側輝度情報、及びノートＰＣ２の表示画像におけるコントラスト、色合い、および画像サイズ等を調整するためのＰＣ側画質情報を入力可能に構成されている。そして、操作手段２２は、入力されたＰＣ側輝度情報およびＰＣ側画質情報を制御手段２３に出力する。
【００２２】
なお、本実施形態では、ＰＣ側輝度情報を出力装置側調整情報として例示して説明する。
また、操作手段２２によりＰＣ側輝度情報を入力可能とする方法としては、例えば、操作ボタンの一部を、輝度を高くする、または低くするためのショートカットキーとし、ノートＰＣ２の使用者が、このショートカットキーを操作する方法や、ノートＰＣ２の使用者が、メニュー画面等を利用して輝度値を入力する方法などが例示できる。
【００２３】
出力装置側制御手段としての制御手段２３は、例えば、ＣＰＵ（Central Processing Unit）等を含んで構成され、ノートＰＣ２全体を制御する他、表示手段２１を制御する部分であり、図２に示すように、メインメモリ２４と、画像処理部２５と、画像出力部２６と、表示調整部２７と、送信制御部２８とを備える。これら各構成要素２４〜２８は、図示しないバスにより接続され、必要な情報が伝送可能に構成されている。
【００２４】
メインメモリ２４は、画像処理部２５および表示調整部２７等で所定の処理を実行するためのプログラムやデータ等を記憶する。例えば、画像データを生成するための背景画像データ、および文字や絵柄等のキャラクタデータや、前述したＰＣ側輝度情報およびＰＣ側画質情報などを記憶する。なお、制御手段２３は、操作手段２２により出力されたＰＣ側輝度情報およびＰＣ側画質情報をメインメモリ２４に記憶させる。
【００２５】
画像処理部２５は、例えば、ＧＰＵ（Graphics Processor Unit）等を含んで構成され、画像処理を実施するものであり、画像生成部２５１と、画質調整部２５２と、ビデオメモリ２５３とを備える。
画像生成部２５１は、メインメモリ２４に記憶された背景画像データ、およびキャラクタデータ等から１画面分に対応するフレーム単位の画像データを生成する。
画質調整部２５２は、画像生成部２５１により生成された画像データに、メインメモリ２４に記憶されたＰＣ側画質情報に基づく画像処理を実施して画質の調整を行う。そして、画質調整部２５２は、画像処理された画像データを、ビデオメモリ２５３に記憶させる。なお、ビデオメモリ２５３は、画像データを一時的に記憶するバッファである。
そして、画像処理部２５は、ビデオメモリ２５３に記憶された画像データを表示手段２１に出力し、液晶パネル２１１は、この画像データに基づく画像を表示する。
【００２６】
画像出力部２６は、例えば、ＧＰＵ等を含んで構成され、ビデオメモリ２５３に記憶された画像データを、画像データ信号に変換して画像ケーブル４を介して出力する。また、画像出力部２６は、ＤＤＣ／ＣＩ（Display Data Channel Command Interface）を利用することにより、情報を伝送可能に構成されている。ここで、ＤＤＣ／ＣＩは、ＶＥＳＡ（Video Electronics Standards Association）規格であり、アナログ／デジタルＲＧＢケーブルのＤＤＣラインを用いて所定のコマンドを送信することができる。したがって、本実施形態では、伝送手段は、画像ケーブル４および画像出力部２６により構成されている。
【００２７】
出力装置側表示調整部としての表示調整部２７は、メインメモリ２４によりＰＣ側輝度情報が記憶されると、このＰＣ側輝度情報に基づく制御信号をバックライト２１２に出力する。そして、バックライト２１２は、表示調整部２７から出力される制御信号に基づいて射出する光の輝度を調整する。すなわち、表示調整部２７は、バックライト２１２にノートＰＣ２の表示画像における輝度を調整させる。
【００２８】
送信制御部２８は、メインメモリ２４によりＰＣ側輝度情報が記憶されると、このＰＣ側輝度情報に基づいて、プロジェクタ３の表示画像における輝度を、表示調整部２７にて調整される輝度に対応させて調整するためのプロジェクタ側輝度情報（表示装置側調整情報）を生成する。例えば、ノートＰＣ２の表示画像における輝度が高くなるようにＰＣ側輝度情報が入力された場合には、送信制御部２８は、プロジェクタ３の表示画像における輝度を高くするためのプロジェクタ側輝度情報を生成し、ノートＰＣ２の表示画像における輝度が低くなるようにＰＣ側輝度情報が入力された場合には、送信制御部２８は、プロジェクタ３の表示画像における輝度を低くするためのプロジェクタ側輝度情報を生成する。
そして、送信制御部２８は、このプロジェクタ側輝度情報を、画像出力部２６に、画像ケーブル４を介して送信させる。なお、プロジェクタ側輝度情報は、前述したＤＤＣ／ＣＩを利用してプロジェクタ３に送信される。
【００２９】
〔プロジェクタの構成〕
図３は、プロジェクタ３の概略構成を示すブロック図である。
画像表示装置としてのプロジェクタ３は、図３に示すように、画像投射手段３１と、制御手段３２とで大略構成されている。
表示装置側表示手段としての画像投射手段３１は、制御手段３２から出力される画像データに基づく光学像を形成してスクリーンＳｃに拡大投射する。これにより、スクリーンＳｃには、画像データに基づく画像が表示される。この画像投射手段３１は、図３に示すように、光源装置３１１と、光変調装置としての液晶パネル３１２と、投射光学装置３１３とを備える。
【００３０】
光源装置３１１は、光を液晶パネル３１２に向けて射出するものであり、光源ランプ３１４と、ランプドライバ３１５とを備える。
光源ランプ３１４は、超高圧水銀ランプにて構成されている。なお、超高圧水銀ランプに限らず、メタルハライドランプ、キセノンランプ等の放電型の光源ランプを採用してもよい。さらに、放電型の光源ランプに限らず、発光ダイオード、レーザダイオード、有機ＥＬ素子、シリコン発光素子等の各種自己発光素子を採用してもよい。
ランプドライバ３１５は、制御手段３２からの制御信号に基づいて、駆動電圧を印加して光源ランプ３１４を駆動する。なお、光源ランプ３１４は、ランプドライバ３１５により印加される駆動電圧を調整することにより、射出する光の輝度を調整することができる。
【００３１】
液晶パネル３１２は、透過型の液晶パネルであり、制御手段３２からの駆動信号に基づいて、液晶セル（図示略）に封入された液晶分子の配列を変化させ、光源ランプ３１４から射出された光を、透過若しくは遮断することにより画像データに応じて変調して光学像を形成し、この光学像を投射光学装置３１３に射出する。
投射光学装置３１３は、液晶パネル３１２から射出された光学像をスクリーンＳｃに向けて拡大投射する。
【００３２】
なお、図示は省略したが、プロジェクタ３は、ＲＧＢの３色に対応する３枚の液晶パネル３１２を備えている。また、光源装置３１１は、光源ランプ３１４から射出される光を３色の光に分離する色光分離光学系を備えている。さらに、投射光学装置３１３は、３色の光学像を合成してカラー画像を表す光学像を生成する合成光学系を有している。なお、このような光学系の構成については、種々の一般的なプロジェクタの光学系の構成が利用可能である。
【００３３】
表示装置側制御手段としての制御手段３２は、例えば、ＣＰＵ等を含んで構成され、プロジェクタ３全体を制御する他、画像投射手段３１を制御する部分であり、図３に示すように、メインメモリ３３と、画像入力部３４と、画像処理部３５と、表示調整部３６とを備える。これら各構成要素３３〜３５は、図示しないバスにより接続され、必要な情報が伝送可能に構成されている。
【００３４】
メインメモリ３３は、画像処理部３５および表示調整部３６等で所定の処理を実行するためのプログラムやデータ等を記憶する。例えば、プロジェクタ３の表示画像における輝度を調整するためのプロジェクタ側輝度情報、及びプロジェクタ３の表示画像におけるコントラスト、色合い、および画像サイズ等を調整するためのプロジェクタ側画質情報などを記憶する。
なお、プロジェクタ３は、本体に設けられた操作ボタンや、リモートコントローラなどの操作手段（図示略）を備えている。そして、この操作手段は、操作ボタン等が操作されることにより、前述したプロジェクタ側画質情報を入力可能に構成され、入力されたプロジェクタ側画質情報を制御手段３２に出力する。そして、制御手段３２は、入力されたプロジェクタ側画質情報をメインメモリ３３に記憶させる。
【００３５】
画像入力部３４は、画像出力部２６から出力された画像データ信号を、画像ケーブル４を介して入力する。また、画像入力部３４は、画像出力部２６から送信されたプロジェクタ側輝度情報を、画像ケーブル４を介して受信する。なお、プロジェクタ側輝度情報は、画像ケーブル４のＤＤＣラインを用いて送信されているので、画像入力部３４は、画像データ信号と、プロジェクタ側輝度情報とを別々に取得することができる。そして、画像入力部３４は、画像データ信号を画像処理部３５に出力し、プロジェクタ側輝度情報をメインメモリ３３に記憶させる。
【００３６】
画像処理部３５は、例えば、ＧＰＵ(Graphics Processor Unit)等を含んで構成され、画像処理を実施するものであり、画像生成部３５１と、画質調整部３５２と、ビデオメモリ３５３とを備える。
画像生成部３５１は、画像入力部３４により出力される画像データ信号をサンプリングしてフレーム単位の画像データを生成する。
画質調整部３５２は、画像生成部３５１により生成された画像データに、メインメモリ３３に記憶されたプロジェクタ側画質情報に基づく画像処理を実施して画質の調整を行う。そして、画質調整部３５２は、画像処理された画像データを、ビデオメモリ３５３に記憶させる。
そして、画像処理部３５は、ビデオメモリ３５３に記憶された画像データを画像投射手段３１に出力し、画像投射手段３１は、ビデオメモリ３５３に記憶された画像データに基づく光学像を形成してスクリーンＳｃに拡大投射する。
【００３７】
表示装置側表示調整部としての表示調整部３６は、メインメモリ３３によりプロジェクタ側輝度情報が記憶されると、すなわち、画像入力部３４によりプロジェクタ側輝度情報が受信されると、このプロジェクタ側輝度情報に基づく制御信号をランプドライバ３１５に出力する。そして、ランプドライバ３１５は、表示調整部３６から出力される制御信号に基づいて光源ランプ３１４に印加する駆動電圧を調整することにより、光源ランプ３１４から射出される光の輝度を調整する。すなわち、表示調整部３６は、ランプドライバ３１５にプロジェクタ３の表示画像における輝度を調整させる。
【００３８】
〔プロジェクションシステムの動作〕
次に、プロジェクションシステム１の動作について、図４を参照して説明する。
図４は、プロジェクションシステム１の動作を示すフローチャートである。
なお、図４においては、左側のフローチャートにおけるステップＳ１〜Ｓ３をノートＰＣ２が実行し、右側のフローチャートにおけるステップＳ４〜Ｓ５をプロジェクタ３が実行する。
【００３９】
まず、ノートＰＣ２の使用者により、操作手段２２の操作ボタンが操作され、ノートＰＣ２の表示画像における輝度を調整するためのＰＣ側輝度情報が入力されると、操作手段２２は、入力されたＰＣ側輝度情報を制御手段２３に出力する（ステップＳ１）。
操作手段２２からＰＣ側輝度情報が出力されると、制御手段２３は、このＰＣ側輝度情報をメインメモリ２４に記憶させる。そして、表示調整部２７は、メインメモリ２４によりＰＣ側輝度情報が記憶されると、このＰＣ側輝度情報に基づいて、バックライト２１２にノートＰＣ２の表示画像における輝度を調整させる（ステップＳ２：出力装置側表示調整ステップ）。
また、送信制御部２８は、メインメモリ２４によりＰＣ側輝度情報が記憶されると、このＰＣ側輝度情報に基づいて、プロジェクタ３の表示画像における輝度を、表示調整部２７にて調整される輝度に対応させて調整するためのプロジェクタ側輝度情報を生成する。そして、送信制御部２８は、このプロジェクタ側輝度情報を、画像出力部２６に、画像ケーブル４を介して送信させる（ステップＳ３：送信制御ステップ）。
【００４０】
画像出力部２６によりプロジェクタ側輝度情報が送信されると、画像入力部３４は、このプロジェクタ側輝度情報を、画像ケーブル４を介して受信し、メインメモリ３３に記憶させる（ステップＳ４）。
メインメモリ３３によりプロジェクタ側輝度情報が記憶されると、表示調整部３６は、このプロジェクタ側輝度情報に基づいて、ランプドライバ３１５にプロジェクタ３の表示画像における輝度を調整させる（ステップＳ５：表示装置側表示調整ステップ）。
以上のようなステップＳ１〜Ｓ５により、プロジェクションシステム１の使用者は、操作手段２２を操作してノートＰＣ２の表示画像における輝度の調整を行うことにより、プロジェクタ３の表示画像における輝度の調整を連動して行うことができる。
【００４１】
本実施形態に係るプロジェクションシステム１によれば、次のような効果がある。
（１）プロジェクタ３の表示画像における輝度の調整を、ノートＰＣ２の表示画像における輝度の調整と連動して行うことができるので、プレゼンテーションの実施者がプレゼンテーションの表示画像における輝度の調整を容易に行うことができる。さらに、プレゼンテーションの実施者は、ノートＰＣ２の表示画像における輝度の調整を行えばよいので、新たな操作を覚える必要がなくプロジェクションシステム１を利用しやすい。
【００４２】
（２）伝送手段として画像ケーブル４および画像出力部２６を採用しているので、輝度情報を伝送するために、新たなケーブル等を接続する必要がない。したがって、プロジェクションシステム１の構成を簡素化することができ、安価にプロジェクションシステム１を構成することができる。
【００４３】
〔実施形態の変形〕
なお、本発明は前記実施形態に限定されるものではなく、本発明の目的を達成できる範囲での変形、改良等は本発明に含まれるものである。
前記実施形態では、プロジェクタ側輝度情報は、ＤＤＣ／ＣＩを利用して送受信されていたが、例えば、周波数変調等により画像データ信号にプロジェクタ側輝度情報を合成して伝送してもよく、要するに、画像出力装置と、画像表示装置との間で表示装置側調整情報を伝送することができればよい。
前記実施形態では、伝送手段として、画像ケーブル４および画像出力部２６を採用していたが、例えば、ＵＳＢ（Universal Serial Bus）ケーブル、ネットワークケーブル、無線ネットワーク機器などを採用してもよい。要するに、画像出力装置と、画像表示装置との間を情報の伝送可能に接続することができればよい。
【００４４】
前記実施形態では、出力装置側調整情報としてＰＣ側輝度情報を例示していたが、例えば、ＰＣ側画質情報などを採用してもよい。なお、この場合には、ノートＰＣ２およびプロジェクタ３の各表示調整部は、各画質調整部に、各表示画像の表示状態を調整させればよい。要するに、出力装置側調整情報は、出力装置側表示手段により表示される画像の表示状態を調整するための情報であればよい。
前記実施形態では、画像出力装置は、ノートＰＣ２であったが、例えば、ボードコンピュータや、他のプロジェクタなどであってもよい。要するに、画像情報を出力することができればよい。
【００４５】
前記実施形態では、画像表示装置は、プロジェクタ３であったが、例えば、液晶テレビジョンなどであってもよく、要するに、画像情報に基づく画像を表示する画像表示装置であればよい。
前記実施形態では、表示調整部３６は、メインメモリ３３によりプロジェクタ側輝度情報が記憶されると、プロジェクタ３の表示画像における輝度を調整させていた。これに対して、例えば、出力装置側表示手段により表示される画像の表示状態の調整と、表示装置側表示手段により表示される画像の表示状態の調整とを連動して調整する連動設定と、連動して調整しない非連動設定とを使用者からの操作入力に応じて切り替え可能にプロジェクタを構成してもよい。そして、使用者からの操作入力により、連動設定に切り替えられた状態において、表示装置側調整情報が受信された場合にのみ、表示装置側調整情報に基づいて表示装置側表示手段により表示される画像の表示状態を調整させるように表示装置側表示調整部を構成してもよい。
【００４６】
前記実施形態では、透過型の液晶パネル３１２を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
前記実施形態では、液晶パネル３１２を３枚設けた構成としていたが、これに限らず、１枚のみの液晶パネル３１２を設ける構成、２枚の液晶パネル３１２を設ける構成、４枚以上の液晶パネル３１２を設ける構成としてもよい。
【産業上の利用可能性】
【００４７】
本発明は、画像表示システムとして利用でき、特に、プロジェクタを用いたプロジェクションシステムに、好適に利用することができる。
【符号の説明】
【００４８】
１…プロジェクションシステム（画像表示システム）、２…ノートＰＣ（画像出力装置）、３…プロジェクタ（画像表示装置）、４…画像ケーブル（伝送手段）、２１…表示手段（出力装置側表示手段）、２２…操作手段、２３…制御手段（出力装置側制御手段）、２７…表示調整部（出力装置側表示調整部）、２８…送信制御部、３１…画像投射手段（表示装置側表示手段）、３２…制御手段（表示装置側制御手段）、３６…表示調整部（表示装置側表示調整部）、３１１…光源装置、３１２…液晶パネル（光変調装置）、３１３…投射光学装置、Ｓ２…出力装置側表示調整ステップ、Ｓ３…送信制御ステップ、Ｓ５…表示装置側表示調整ステップ。
【図１】
2010186183.tif 000003
【図２】
2010186183.tif 000004
【図３】
2010186183.tif 000005
【図４】
2010186183.tif 000006
【手続補正書】
【提出日】平成22年3月17日(2010.3.17)
【手続補正１】
【補正対象書類名】特許請求の範囲
【補正対象項目名】全文
【補正方法】変更
【補正の内容】
【特許請求の範囲】
【請求項１】
画像情報を出力する画像出力装置と、前記画像情報に基づく画像を表示する画像表示装置と、前記画像出力装置の出力を前記画像表示装置へ伝送する伝送手段とを備える画像表示システムであって、
前記画像出力装置は、
前記画像情報に基づく画像を表示する出力装置側表示手段と、
前記出力装置側表示手段を制御する出力装置側制御手段と、
前記出力装置側表示手段により表示される画像の表示状態を調整する操作手段とを備え、
前記出力装置側制御手段は、
前記出力装置側表示手段により表示される画像の表示状態を、前記操作手段を介して調整させる出力装置側表示調整部と、
前記画像表示装置により表示される画像の表示状態を、前記出力装置側表示調整部にて調整される表示状態に連動させるための情報を前記伝送手段にて送信させる送信制御部とを備え、
前記画像表示装置は、
前記画像情報に基づく画像を表示する表示装置側表示手段と、
前記表示装置側表示手段を制御する表示装置側制御手段とを備え、
前記表示装置側制御手段は、
前記伝送手段を介して受信される情報に基づいて、前記表示装置側表示手段により表示される画像の表示状態を、前記画像出力装置により表示される画像の表示状態に連動するように調整させる表示装置側表示調整部を備えることを特徴とする画像表示システム。
【請求項２】
請求項１に記載の画像表示システムにおいて、
前記送信制御部は、輝度、または画質を連動させるための情報を、前記伝送手段を介して送信させることを特徴とする画像表示システム。
【請求項３】
請求項１または請求項２に記載の画像表示システムにおいて、
前記画像表示装置は、光源装置と、前記光源装置から射出される光を画像情報に応じて変調して光学像を形成する光変調装置と、形成された光学像を拡大投射する投射光学装置とを備えるプロジェクタであることを特徴とする画像表示システム。
【請求項４】
請求項１から請求項３のいずれかに記載の画像表示システムにおいて、
前記操作手段は、ショートカットキーを備えることを特徴とする画像表示システム。
【請求項５】
画像情報を出力する画像出力装置と、前記画像情報に基づく画像を表示する画像表示装置と、前記画像出力装置の出力を前記画像表示装置へ伝送する伝送手段とを備える画像表示システムに用いられる画像出力装置であって、
前記画像情報に基づく画像を表示する出力装置側表示手段と、
前記出力装置側表示手段を制御する出力装置側制御手段と、
前記出力装置側表示手段により表示される画像の表示状態を調整する操作手段とを備え、
前記出力装置側制御手段は、
前記出力装置側表示手段により表示される画像の表示状態を、前記操作手段を介して調整させる出力装置側表示調整部と、
前記画像表示装置により表示される画像の表示状態を、前記出力装置側表示調整部にて調整される表示状態に連動させるための情報を前記伝送手段にて送信させる送信制御部とを備えることを特徴とする画像出力装置。
【請求項６】
画像情報を出力する画像出力装置と、前記画像情報に基づく画像を表示する画像表示装置と、前記画像出力装置の出力を前記画像表示装置へ伝送する伝送手段とを備える画像表示システムに用いられる画像表示装置であって、
前記画像情報に基づく画像を表示する表示装置側表示手段と、
前記表示装置側表示手段を制御する表示装置側制御手段とを備え、
前記表示装置側制御手段は、
前記伝送手段を介して受信される情報に基づいて前記表示装置側表示手段により表示される画像の表示状態を、前記画像出力装置により表示される画像の表示状態に連動するように調整させる表示装置側表示調整部を備えることを特徴とする画像表示装置。
【請求項７】
画像情報に基づく画像を表示するとともに、当該画像情報を出力する画像出力装置と、前記画像情報に基づく画像を表示する画像表示装置と、前記画像出力装置の出力を前記画像表示装置へ伝送する伝送手段とを備える画像表示システムを利用した画像表示方法であって、
前記画像出力装置が、
当該画像出力装置により表示される画像の表示状態を調整する出力装置側表示調整ステップと、
前記画像表示装置により表示される画像の表示状態を、前記出力装置側表示調整ステップにて調整された表示状態に連動させるための情報を前記伝送手段にて送信する送信制御ステップとを実行し、
前記画像表示装置が、
前記伝送手段を介して受信される情報に基づいて当該画像表示装置により表示される画像の表示状態を前記画像出力装置により表示される画像の表示状態に連動するように調整する表示装置側表示調整ステップを実行することを特徴とする画像表示方法。
【手続補正３】
【補正対象書類名】明細書
【補正対象項目名】０００１
【補正方法】変更
【補正の内容】
【０００１】
本発明は、画像表示システム、画像出力装置、画像表示装置、および画像表示方法に関する。
【手続補正４】
【補正対象書類名】明細書
【補正対象項目名】０００６
【補正方法】変更
【補正の内容】
【０００６】
本発明の目的は、プレゼンテーションの実施者がプレゼンテーションの表示画像における表示状態の調整を容易に行うことができる画像表示システム、画像出力装置、画像表示装置、および画像表示方法を提供することにある。
【手続補正５】
【補正対象書類名】明細書
【補正対象項目名】０００７
【補正方法】変更
【補正の内容】
【０００７】
本発明の画像表示システムは、画像情報を出力する画像出力装置と、前記画像情報に基づく画像を表示する画像表示装置と、前記画像出力装置の出力を前記画像表示装置へ伝送する伝送手段とを備える画像表示システムであって、前記画像出力装置は、前記画像情報に基づく画像を表示する出力装置側表示手段と、前記出力装置側表示手段を制御する出力装置側制御手段と、前記出力装置側表示手段により表示される画像の表示状態を調整する操作手段とを備え、前記出力装置側制御手段は、前記出力装置側表示手段により表示される画像の表示状態を、前記操作手段を介して調整させる出力装置側表示調整部と、前記画像表示装置により表示される画像の表示状態を、前記出力装置側表示調整部にて調整される表示状態に連動させるための情報を前記伝送手段にて送信させる送信制御部とを備え、前記画像表示装置は、前記画像情報に基づく画像を表示する表示装置側表示手段と、前記表示装置側表示手段を制御する表示装置側制御手段とを備え、前記表示装置側制御手段は、前記伝送手段を介して受信される情報に基づいて、前記表示装置側表示手段により表示される画像の表示状態を、前記画像出力装置により表示される画像の表示状態に連動するように調整させる表示装置側表示調整部を備えることを特徴とする。
【手続補正６】
【補正対象書類名】明細書
【補正対象項目名】０００８
【補正方法】変更
【補正の内容】
【０００８】
このような構成によれば、画像出力装置の使用者が、操作手段を操作することにより、出力装置側表示手段により表示される画像の表示状態を調整すると、送信制御部は、表示装置側表示手段により表示される画像の表示状態を、出力装置側表示調整部にて調整される表示状態に連動させるための情報を伝送手段にて送信させる。そして、表示装置側表示調整部は、伝送手段を介して受信される情報に基づいて、表示装置側表示手段により表示される画像の表示状態を調整させる。
したがって、画像出力装置の使用者は、操作手段を操作して出力装置側表示手段により表示される画像の表示状態を調整することにより、表示装置側表示手段により表示される画像の表示状態を連動して調整することができる。
【手続補正７】
【補正対象書類名】明細書
【補正対象項目名】００１０
【補正方法】変更
【補正の内容】
【００１０】
本発明では、前記送信制御部は、輝度、または画質を連動させるための情報を、前記伝送手段を介して送信させることが好ましい。
プレゼンテーションは、暗い環境で実施されることが多いため、プレゼンテーションの実施者は、プレゼンテーションを行っている最中に画像表示装置の表示画像の輝度を調整する場合が多い。したがって、このような構成によれば、本発明の画像表示システムを特に好適に利用することができる。
【手続補正８】
【補正対象書類名】明細書
【補正対象項目名】００１１
【補正方法】変更
【補正の内容】
【００１１】
本発明では、前記画像表示装置は、光源装置と、前記光源装置から射出される光を画像情報に応じて変調して光学像を形成する光変調装置と、形成された光学像を拡大投射する投射光学装置とを備えるプロジェクタであることが好ましい。
このような構成によれば、前述した画像表示システムの作用および効果と同様の作用および効果を享受することができる。
また、プロジェクタは、会議、学会、および展示会等におけるプレゼンテーションに利用される場合が多いので、本発明を好適に利用することができる。
【手続補正９】
【補正対象書類名】明細書
【補正対象項目名】００１２
【補正方法】変更
【補正の内容】
【００１２】
本発明では、前記操作手段は、ショートカットキーを備えることが好ましい。
【手続補正１０】
【補正対象書類名】明細書
【補正対象項目名】００１３
【補正方法】変更
【補正の内容】
【００１３】
本発明の画像出力装置は、画像情報を出力する画像出力装置と、前記画像情報に基づく画像を表示する画像表示装置と、前記画像出力装置の出力を前記画像表示装置へ伝送する伝送手段とを備える画像表示システムに用いられる画像出力装置であって、前記画像情報に基づく画像を表示する出力装置側表示手段と、前記出力装置側表示手段を制御する出力装置側制御手段と、前記出力装置側表示手段により表示される画像の表示状態を調整する操作手段とを備え、前記出力装置側制御手段は、前記出力装置側表示手段により表示される画像の表示状態を、前記操作手段を介して調整させる出力装置側表示調整部と、前記画像表示装置により表示される画像の表示状態を、前記出力装置側表示調整部にて調整される表示状態に連動させるための情報を前記伝送手段にて送信させる送信制御部とを備えることを特徴とする。
また、本発明の画像表示装置は、画像情報を出力する画像出力装置と、前記画像情報に基づく画像を表示する画像表示装置と、前記画像出力装置の出力を前記画像表示装置へ伝送する伝送手段とを備える画像表示システムに用いられる画像表示装置であって、前記画像情報に基づく画像を表示する表示装置側表示手段と、前記表示装置側表示手段を制御する表示装置側制御手段とを備え、前記表示装置側制御手段は、前記伝送手段を介して受信される情報に基づいて前記表示装置側表示手段により表示される画像の表示状態を、前記画像出力装置により表示される画像の表示状態に連動するように調整させる表示装置側表示調整部を備えることを特徴とする。
【手続補正１１】
【補正対象書類名】明細書
【補正対象項目名】００１４
【補正方法】変更
【補正の内容】
【００１４】
このような構成によれば、前述した画像表示システムに好適な画像出力装置、及び画像表示装置として利用することができる。
【手続補正１２】
【補正対象書類名】明細書
【補正対象項目名】００１５
【補正方法】変更
【補正の内容】
【００１５】
本発明の画像表示方法は、画像情報に基づく画像を表示するとともに、当該画像情報を出力する画像出力装置と、前記画像情報に基づく画像を表示する画像表示装置と、前記画像出力装置の出力を前記画像表示装置へ伝送する伝送手段とを備える画像表示システムを利用した画像表示方法であって、前記画像出力装置が、当該画像出力装置により表示される画像の表示状態を調整する出力装置側表示調整ステップと、前記画像表示装置により表示される画像の表示状態を、前記出力装置側表示調整ステップにて調整された表示状態に連動させるための情報を前記伝送手段にて送信する送信制御ステップとを実行し、前記画像表示装置が、前記伝送手段を介して受信される情報に基づいて当該画像表示装置により表示される画像の表示状態を前記画像出力装置により表示される画像の表示状態に連動するように調整する表示装置側表示調整ステップを実行することを特徴とする。